(57)【要約】【課題】磁石吸着式製品を吸着可能な反射型映写スクリーンを提供する。【解決手段】巻取り及び巻き戻し可能な可撓性を有するとともに投影画像を反射表示可能なシート本体１０ａを具備し、このシート本体１０ａの全面又は一部の範囲に磁性体領域を有する。【選択図】図１
2009217102.tif 000002
【特許請求の範囲】
【請求項１】
巻取り及び巻き戻し可能な可撓性を有するとともに投影画像を反射表示可能なシート本
体を具備し、このシート本体の全面又は一部の範囲に磁性体領域を有することを特徴とす
る反射型映写スクリーン。
【請求項２】
前記磁性体領域は、前記シート本体自体の全部又は一部に、磁性体を含ませることで構
成されていることを特徴とする請求項１記載の反射型映写スクリーン。
【請求項３】
前記磁性体領域は、前記シート本体の前面及び／又は背面に、磁性塗料を塗布すること
で構成されていることを特徴とする請求項１記載の反射型映写スクリーン。
【請求項４】
前記磁性体領域は、前記シート本体の前面及び／又は背面に、平板状の磁性体を着脱可
能に設けることで構成されていることを特徴とする請求項１記載の反射型映写スクリーン
。
【請求項５】
前記平板状の磁性体は、弾性的に開閉するクリップ部を有し、該クリップ部に前記シー
ト本体が差し込まれることで、前記シート本体に装着されていることを特徴とする請求項
５記載の反射型映写スクリーン。
【発明の詳細な説明】
【技術分野】
【０００１】
本発明は、プロジェクターや映写機などの投影機器から投影される画像を、その投影面
側に表示するようにした反射型映写スクリーンに関するものである。
【背景技術】
【０００２】
この種の反射型映写スクリーンは、巻取り収納可能なように、可撓性合成樹脂フィルム
等から構成されている。そのため、従来の反射型映写スクリーンでは、ホワイトボードや
黒板等のようにして磁石を吸着させることができない。
磁石吸着式の製品には、例えば、磁石付き止着具や磁石付きクリップ等のほか、近年で
はスクリーンに沿って移動するペンの軌跡を感知するようにした製品等もあり、多種多様
である。そこで、反射型映写スクリーンについても磁石を吸着可能な製品が望まれている
。
【０００３】
ところで、本願に関連する従来技術として、特許文献１に記載された反射型スクリーン
がある。
この従来技術の反射型スクリーンでは、マグネットシートを含む構成とすることで、ス
チール家具や、ホワイトボード、機械外壁面等の強磁性物品表面に着脱することが可能で
ある。
しかしながら、前記従来技術の反射型スクリーンに対し磁石吸着式製品を吸着させよう
とした場合には、前記マグネットシートの極性のために磁石吸着式製品が反発されて吸着
しないおそれがある。
その上、フロッピーディスク等の磁気記憶媒体のデータを消去してしまったり、表裏面
に磁性金属粉が付着して除去しにくい等の問題を有する。
また、広範囲にわたりマグネットシートを設けるようにしているため、コストの高騰も
避け難い。
【特許文献１】特開平１１−７２８４７号公報
【発明の開示】
【発明が解決しようとする課題】
【０００４】
本発明は上記従来事情にかんがみてなされたものであり、その課題とするところは、磁
石吸着式製品を吸着可能な反射型映写スクリーンを提供することにある。
【課題を解決するための手段】
【０００５】
上記課題を解決するための技術的手段は、巻取り及び巻き戻し可能な可撓性を有すると
ともに投影画像を反射表示可能なシート本体を具備し、このシート本体の全面又は一部の
範囲に磁性体領域を有することを特徴とする。
前記構成によれば、シート本体の全面又は一部の範囲に設けられた磁性体領域に対し磁
石吸着式製品の磁石が吸着する。
【０００６】
更に好ましくは、前記磁性体領域は、前記シート本体自体の全部又は一部に、磁性体を
含ませることで構成されていることを特徴とする。
この構成によれば、特に生産性の良好な簡素構造とすることができる。
【０００７】
更に好ましくは、前記磁性体領域は、前記シート本体の前面及び／又は背面に、磁性塗
料を塗布することで構成されていることを特徴とする。
この構成によれば、生産性の良好な簡素構造とすることができる上、既存の反射型映写
スクリーンに対し磁性塗料を塗布して磁性体領域とすることも可能である。
【０００８】
更に好ましくは、前記磁性体領域は、前記シート本体の前面及び／又は背面に、平板状
の磁性体を着脱可能に設けることで構成されていることを特徴とする。
この構成によれば、磁性体領域を有さない既存の反射型映写スクリーンを、容易に磁性
体領域を有するスクリーンに変えることが可能である。
【０００９】
更に好ましくは、前記平板状の磁性体は、弾性的に開閉するクリップ部を有し、該クリ
ップ部に前記シート本体が差し込まれることで、前記シート本体に装着されていることを
特徴とする。
この構成によれば、平板状磁性体をシート本体に対し容易に着脱することができる。
【発明を実施するための最良の形態】
【００１０】
以下、本発明の実施の形態を図面に基づいて説明する。
【００１１】
図１は、本実施の形態の反射型映写スクリーン１を示す斜視図である。
この反射型映写スクリーン１は、巻取り及び巻き戻し可能な可撓性を有するとともに投
影画像を表示可能な反射性を有するシート本体１０ａと、シート本体１０ａを繰り出した
り巻取ったりする収納部２０と、シート本体１０ａの繰り出し方向側の端部に接続された
引き出しバー３０等を具備し、シート本体１０ａの全面又は一部の範囲（図示例によれば
全面）に磁性体領域Ｅを有する。
【００１２】
この反射型映写スクリーン１は、図示例のように収納部２０が専用スタンドＳに吊持さ
れたり、あるいは収納部２０が壁面等の不動部位に固定されたりして用いられる。
そして、引き出しバー３０が引かれることで引き出されたシート本体１０ａの表面には
、シート本体１０ａに沿って移動するペンの座標を感知して無線送信するペンセンサー４
１や、シート本体１０ａ表面に吸着されて目印とされたり紙等を止着したりする磁石付き
止着具４２、磁石付きクリップ４３など、必要に応じて磁石吸着式製品が吸着される。
【００１３】
図２は、シート本体１０ａの断面構造を示している。
このシート本体１０ａは、その反射面側に配置された反射面側合成樹脂層１１と、厚さ
方向の中央側に配置された基材層１２と、背面側に配置された背面側合成樹脂層１３とを
接合してなる。
【００１４】
反射面側合成樹脂層１１は、光を透過可能であって可撓性を有する合成樹脂シートであ
ればよく、例えば、透明のポリ塩化ビニル樹脂から構成される。
【００１５】
基材層１２は、反射面側合成樹脂層１１を透過した光を反射する有色の可撓性シート状
物であり、シート本体１０ａ全体を平坦状に維持したり補強したりする作用効果も兼ね備
えている。この基材層１２には、例えば、白色のガラスクロス製シートが用いられる。
【００１６】
背面側合成樹脂層１３は、シート本体１０ａ背面側の光を反射面側へ透過させないよう
にする有色の合成樹脂材料に磁性体を含ませてなり、例えば、黒色のポリ塩化ビニル樹脂
に粉末状の磁性体を含ませて構成される。
前記磁性体には、例えば、鉄、磁性ステンレス、ニッケル等の強磁性体が用いられる。
なお、この磁性体には、いわゆる永久磁石を含まない。
【００１７】
上記構成のシート本体１０ａの製造方法は、反射面側合成樹脂層１１、基材層１２、背
面側合成樹脂層１３をそれぞれあらかじめシート状に製造し、これら三つのシートを重ね
合わせて接着するようにしてもよいし、基材層１２の一方の面に反射面側合成樹脂層１１
をコーティングするとともに基材層１２の他方の面に背面側合成樹脂層１３をコーティン
グするようにしてもよい。
【００１８】
また、収納部２０は、巻かれた際のシート本体１０ａを収納するケーシング２１と、シ
ート本体１０ａを巻取ったり巻き戻したりする巻取体２２と、巻取体２２を巻取り方向へ
付勢するゼンマイバネ（図示せず）と、シート本体１０ａを繰り出された状態に係止する
係止機構（図示せず）とを具備している。
この収納部２０は、引き出されたシート本体１０ａを前記係止機構によって係止し、そ
の係止状態を所定の操作により解除することでシート本体１０ａを前記巻取体２２に巻取
るように構成してある。
【００１９】
ケーシング２１は、シート本体１０ａの幅方向の略全長にわたる略中空円筒状を呈し、
その外周面の一部に前記幅方向へわたる開口部（図示せず）を有し、この開口部からシー
ト本体１０ａを繰り出す。
巻取体２２は、シート本体１０ａ内で回転するように設けられるとともに、その外周面
にシート本体１０ａの一旦側を止着している。
【００２０】
また、引き出しバー３０は、適度な重量を有する長尺棒状の部材であり、その自重によ
って引き出されたシート本体１０ａを下方へ引っ張り、シート本体１０ａを略平坦状に維
持する。
【００２１】
上記構成の反射型映写スクリーン１によれば、シート本体１０ａが引き出された状態に
おいて、その正面側から反射面側合成樹脂層１１に進入した光は、基材層１２の表面で反
射する。したがって、例えばプロジェクター等から投影された画像を、その投影方向側か
ら視認することができる。
【００２２】
しかも、シート本体１０ａに磁性体を含んでいるため、ペンセンサー４１や、磁石付き
止着具４２、磁石付きクリップ４３等の磁石吸着式製品を吸着させることが可能である。
したがって、例えば、シート本体１０ａの表面にペンセンサー４１を吸着し、このペン
センサー４１によりシート本体１０ａに沿って移動するペン（インクを吐出しないペン）
の座標を感知するとともに、その座標をプロジェクターへ送信し、プロジェクターからの
投影によって前記ペンの筆跡をリアルタイムに表示するというような用い方が可能となり
、産業上の有用性が高い。
【００２３】
（実施例２）
図３は、本発明に係る他の反射型映写スクリーン２の要部断面を示す。なお、以下に示
す実施例は、上記反射型映写スクリーン１の構成を部分的に変更したものであるため、上
記反射型映写スクリーン１と略同様の部分に関しては同一の符号を用いることで重複する
詳細説明を省略する。
【００２４】
反射型映写スクリーン２は、反射型映写スクリーン１に対し、シート本体１０ａをシー
ト本体１０ｂに置換した構成とされる。
シート本体１０ｂは、前記シート本体１０ａと略同様にして、反射面側合成樹脂層１１
と基材層１２と背面側合成樹脂層１５とを配置するとともに、基材層１２と背面側合成樹
脂層１５との間に磁性層１４を有する。
【００２５】
背面側合成樹脂層１５は、上記背面側合成樹脂層１３から粉末状の磁性体を省いた構成
、すなわち、シート本体１０ｂ背面側の光を反射面側へ透過させないようにする有色の可
撓性シートである。
【００２６】
磁性層１４は、基材層１２と背面側合成樹脂層１５を接着するバインダー層であり、磁
性体を含んでいる。
より具体的に説明すれば、磁性層１４は、接着剤に粉末状の磁性体を略均一に混ぜ込ん
だものであり、基材層１２と背面側合成樹脂層１５とを接着する際に、その接着面の略全
面に塗布される。
【００２７】
よって、反射型映写スクリーン２によれば、反射面側合成樹脂層１１、基材層１２、背
面側合成樹脂層１５等に、従来の部品を用いることができ、ひいては、部品管理を容易化
し生産性を向上させることができる。
【００２８】
（実施例３）
図４は、本発明に係る他の反射型映写スクリーン３の要部断面を示す。
この反射型映写スクリーン３は、反射型映写スクリーン１に対し、シート本体１０ａを
シート本体１０ｃに置換した構成とされる。
シート本体１０ｃは、反射面側合成樹脂層１１と基材層１２と背面側合成樹脂層１５と
を厚さ方向に接合するとともに、背面側合成樹脂層１５の露出面（背面）に磁性塗料１６
を塗布することで構成される。
【００２９】
磁性塗料１６は、粉末状の磁性体、バインダー、溶剤等からなる。前記バインダーとし
ては、例えば、ウレタン樹脂や、ビニル樹脂などが使用される。 
磁性塗料１６が塗布される範囲は、収納部２０から引き出された際に露出される範囲と
するのが好ましいが、シート本体１０ｃの幅方向（図示例によれば左右方向）の端部側や
、上下端側等、磁石吸着式製品が吸着される部分的な範囲としてもよい。
【００３０】
前記構成によれば、従来構造の反射型映写スクリーンについて、シート本体に磁性塗料
１６を塗布するだけで、磁石吸着式製品を吸着可能な反射型映写スクリーン３とすること
ができる。すなわち、従来構造の反射型映写スクリーンを再利用することができる上、生
産性も良好である。
【００３１】
（実施例４）
図５は、本発明に係る他の反射型映写スクリーン４の斜視図を示す。
この反射型映写スクリーン４は、従来構造の反射型映写スクリーンのシート本体１０ｄ
に、平板状の磁性体５０を着脱可能に設けることで、部分的な磁性体領域Ｅを構成してい
る。
【００３２】
シート本体１０ｄは、反射面側合成樹脂層１１と基材層１２と背面側合成樹脂層１５と
を厚さ方向に接合してなり、磁性体を含まない。
【００３３】
磁性体５０は、平板状の本体部５１と、弾性的に開閉するクリップ部５２とを有し、本
体部５１とクリップ部５２との間にシート本体１０ｄが差し込まれることで、シート本体
１０ｄに装着されている。
【００３４】
本体部５１は、鉄板や磁性ステンレス板等の磁性体によって略矩形平板状に形成され、
シート本体１０ｄの背面側に配設されて、シート本体１０ｄ表面側への磁石吸着式製品の
吸着を可能にしている。
この本体部５１の大きさは、磁石吸着式製品を吸着させる目的に応じて適宜に設定され
る。例えば、磁石吸着式製品としてペンセンサー４１をシート本体１０ｄ幅方向の端部側
に吸着させたい場合には、本体部５１も、シート本体１０ｄの幅方向の端部側に部分的に
設ければよい。
【００３５】
クリップ部５２は、本体部５１との間にシート本体１０ｄを挟むように曲げ形成された
部位であり、本体部５１の幅方向の端部側において上下方向の一端側と他端側にそれぞれ
配設されている。
このクリップ部５２は、本体部５１と一体の部材を曲げ加工して形成してもよいし、本
体部５１とは別体の部材を本体部５１に対し止着するようにしてもよい。
【００３６】
上記構成によれば、従来構造の反射型映写スクリーンに対し上記平板状の磁性体５０を
装着して、磁石吸着式製品を吸着可能な反射型映写スクリーン４とすることができる。し
かも、磁性体５０の装着箇所を変えれば、磁石吸着式製品が吸着可能な範囲も変えること
ができ、例えば、図５に示す態様においてシート本体１０ｄの右端側に磁性体５０を装着
すれば、シート本体１０ｄの右端側を磁石吸着可能範囲とすることができる。
【００３７】
（変形例１）
図２に示す好ましい一例によれば、背面側合成樹脂層１３に粉末状の磁性体を含ませる
構成としたが、投影画像の表示が可能であれば、反射面側合成樹脂層１１や基材層１２に
磁性体を含ませるようにしてもよい。
【００３８】
（変形例２）
図３に示す好ましい一例によれば、基材層１２と背面側合成樹脂層１５との間に磁性層
１４を設けるようにしたが、投影画像の表示が可能であれば、反射面側合成樹脂層１１と
基材層１２との間に磁性体を含ませるようにしてもよい。
【００３９】
（変形例３）
図４に示す好ましい一例によれば、シート本体１０ｃの背面側に磁性塗料１６を塗布し
たが、シート本体１０ｃの上下端部側や幅方向端部側等、投影画像の表示に悪影響の少な
い領域であれば、シート本体１０ｃの表面側に磁性塗料１６を塗布するようにしてもよい
。
【００４０】
（変形例４）
図５に示す好ましい一例によれば、平板状の磁性体をクリップ部５２によってシート本
体１０ｄに装着するようにしたが、平板状の磁性体を、ベルベットファスナーやホック等
の着脱操作される止着具を介してシート本体１０ｄに装着することも可能である。
【００４１】
（変形例５）
図５に示す好ましい一例によれば、平板状の磁性体５０をシート本体１０ｄの幅方向端
部側に部分的に設けるようにしたが、磁性体５０をシート本体１０ｄの下端側や上端側に
部分的に設けるようにした態様等とすることも可能である。
【００４２】
（変形例６）
更に、他例としては、平板状の磁性体５０をシート本体１０ｄに対し全体的に設けるよ
うにしてもよい。この構成によれば、平板状の磁性体５０によってシート本体１０ｄを平
坦性を向上することができ、ひいては、シート本体１０ｄに表示される投影画像に歪みが
生じるようなことを防止できる。
【００４３】
（変形例７）
図５に示す好ましい一例によれば、磁性体５０の本体部５１をシート本体１０ｄの背面
側に配置したが、本体部５１をシート本体１０ｄの表面側（反射面側）に配置することも
可能である。
【００４４】
（変形例８）
また、図１及び図５に示す態様によれば、シート本体が上方から下方へ引き出される反
射型映写スクリーンとしたが、シート本体が下方から上方へ引き出される反射型映写スク
リーンや、シート本体が左右方向へ引き出される反射型映写スクリーンについて、上記の
ようにして磁性体領域を設けるようにしてもよい。
【図面の簡単な説明】
【００４５】
【図１】本発明に係わる反射型映写スクリーンの一例を示す斜視図。
【図２】同反射型映写スクリーンの要部断面図。
【図３】本発明に係わる反射型映写スクリーンの他例を示す要部断面図。
【図４】本発明に係わる反射型映写スクリーンの他例を示す要部断面図。
【図５】本発明に係わる反射型映写スクリーンの他例を示す斜視図。
【符号の説明】
【００４６】
１，２，３，４：反射型映写スクリーン、１０ａ，１０ｂ，１０ｃ，１０ｄ：シート本
体、１１：反射面側合成樹脂層、１２：基材層、１３，１５：背面側合成樹脂層、１４：
磁性層、１６：磁性塗料、５０：磁性体、５１：本体部、５２：クリップ部
【図１】
2009217102.tif 000003
【図２】
2009217102.tif 000004
【図３】
2009217102.tif 000005
【図４】
2009217102.tif 000006
【図５】
2009217102.tif 000007